(57)【要約】【課題】信頼性を向上させることが可能なヘッドチップ、液体噴射ヘッドおよび液体噴射記録装置を提供する。【解決手段】本開示の一実施の形態に係るヘッドチップは、第１の方向に沿って並設された複数の吐出溝と、複数の吐出溝内にそれぞれ形成された第１共通電極とを有するアクチュエータプレートと、複数の吐出溝に個別に連通する複数のノズル孔を有するノズルプレートと、アクチュエータプレートを覆うカバープレートとを備えている。カバープレートは、複数の吐出溝をそれぞれ覆う壁部を有している。第１共通電極に対して電気的に接続されている複数の共通配線が、カバープレートの壁部におけるアクチュエータプレートとは反対側の表面上に引き回されていると共に、複数の共通配線のうちの少なくとも２以上の共通配線同士が、壁部の上記反対側の表面において互いに電気的に接続されることにより、壁部の上記反対側の表面に、１または複数の第２共通電極が形成されている。【選択図】図４
2019089221.tif 000002
【特許請求の範囲】
【請求項１】
液体を噴射するヘッドチップであって、
第１の方向に沿って並設された複数の吐出溝と、前記複数の吐出溝内にそれぞれ形成された第１共通電極とを有するアクチュエータプレートと、
前記複数の吐出溝に個別に連通する複数のノズル孔を有するノズルプレートと、
前記アクチュエータプレートを覆うカバープレートと
を備え、
前記カバープレートは、前記複数の吐出溝をそれぞれ覆う壁部を有しており、
前記第１共通電極に対して電気的に接続されている複数の共通配線が、前記カバープレートの前記壁部における前記アクチュエータプレートとは反対側の表面上に引き回されていると共に、
前記複数の共通配線のうちの少なくとも２以上の前記共通配線同士が、前記壁部の前記反対側の表面において互いに電気的に接続されることにより、前記壁部の前記反対側の表面に、１または複数の第２共通電極が形成されている
ヘッドチップ。
【請求項２】
前記第１の方向に沿って並設された前記少なくとも２以上の前記共通配線同士の電気的接続により、前記第２共通電極が形成されている
請求項１に記載のヘッドチップ。
【請求項３】
前記第１の方向に沿って並設された全ての前記共通配線同士の電気的接続により、前記第２共通電極が形成されている
請求項２に記載のヘッドチップ。
【請求項４】
前記カバープレートが、
前記吐出溝との間で前記液体が流れる第１貫通孔を含んでおり、前記第１の方向に沿って延在する第１の溝部と、
前記吐出溝との間で前記液体が流れる第２貫通孔を含んでおり、前記第１の方向に沿って延在する第２の溝部と
を更に有していると共に、
前記壁部が、前記第１および第２の溝部の間の領域に配置されており、
前記第１の溝部内から引き回された前記共通配線と、前記第２の溝部内から引き回された前記共通配線とが、前記壁部の前記反対側の表面において、前記第１の方向と交差する第２の方向に沿って互いに電気的接続されることにより、前記第２共通電極が形成されている
請求項１ないし請求項３のいずれか１項に記載のヘッドチップ。
【請求項５】
前記壁部における前記反対側の表面の一部が、前記第２共通電極が形成されずに前記カバープレートの表面が露出している露出面となっている
請求項１ないし請求項４のいずれか１項に記載のヘッドチップ。
【請求項６】
前記露出面が複数設けられていると共に、
複数の前記露出面同士が、前記第１の方向に沿って等間隔に配置されている
請求項５に記載のヘッドチップ。
【請求項７】
前記壁部の前記反対側の表面において、前記吐出溝の形成領域に対応する全領域に、前記第２共通電極が形成されている
請求項１ないし請求項４のいずれか１項に記載のヘッドチップ。
【請求項８】
前記ヘッドチップ内と前記ヘッドチップの外部との間を前記液体が循環するように構成されていると共に、
前記カバープレートが、
前記吐出溝内に前記液体を流入させるための第１貫通孔を含んでおり、前記第１の方向に沿って延在する第１の溝部と、
前記吐出溝内から前記液体を流出させるための第２貫通孔を含んでおり、前記第１の方向に沿って延在する第２の溝部と
を更に有しており、
前記壁部が、前記第１および第２の溝部の間の領域に配置されている
請求項１ないし請求項７のいずれか１項に記載のヘッドチップ。
【請求項９】
請求項１ないし請求項８のいずれか１項に記載のヘッドチップを備えた
液体噴射ヘッド。
【請求項１０】
請求項９に記載の液体噴射ヘッドと、
前記液体を収容する収容部と
を備えた液体噴射記録装置。
【発明の詳細な説明】
【技術分野】
【０００１】
本開示は、ヘッドチップ、液体噴射ヘッドおよび液体噴射記録装置に関する。
【背景技術】
【０００２】
液体噴射記録装置の１つとして、記録紙等の被記録媒体にインク（液体）を吐出（噴射）して画像や文字等の記録を行う、インクジェット方式の記録装置が提供されている（例えば特許文献１参照）。この方式の液体噴射記録装置では、インクタンクからインクジェットヘッド（液体噴射ヘッド）へインクを供給し、このインクジェットヘッドのノズル孔から被記録媒体に対してインクを吐出することで、画像や文字等の記録が行われるようになっている。また、このようなインクジェットヘッドには、インクを吐出するヘッドチップが設けられている。
【先行技術文献】
【特許文献】
【０００３】
【特許文献１】特開２０１５−１７８２１９号公報
【発明の概要】
【発明が解決しようとする課題】
【０００４】
このようなヘッドチップ等では一般に、信頼性を向上させることが求められている。信頼性を向上させることが可能なヘッドチップ、液体噴射ヘッドおよび液体噴射記録装置を提供することが望ましい。
【課題を解決するための手段】
【０００５】
本開示の一実施の形態に係るヘッドチップは、第１の方向に沿って並設された複数の吐出溝と、複数の吐出溝内にそれぞれ形成された第１共通電極とを有するアクチュエータプレートと、複数の吐出溝に個別に連通する複数のノズル孔を有するノズルプレートと、アクチュエータプレートを覆うカバープレートとを備えたものである。カバープレートは、複数の吐出溝をそれぞれ覆う壁部を有している。第１共通電極に対して電気的に接続されている複数の共通配線が、カバープレートの壁部におけるアクチュエータプレートとは反対側の表面上に引き回されていると共に、複数の共通配線のうちの少なくとも２以上の共通配線同士が、壁部の上記反対側の表面において互いに電気的に接続されることにより、壁部の上記反対側の表面に、１または複数の第２共通電極が形成されている。
【０００６】
本開示の一実施の形態に係る液体噴射ヘッドは、上記本開示の一実施の形態に係るヘッドチップを備えたものである。
【０００７】
本開示の一実施の形態に係る液体噴射記録装置は、上記本開示の一実施の形態に係る液体噴射ヘッドと、液体を収容する収容部とを備えたものである。
【発明の効果】
【０００８】
本開示の一実施の形態に係るヘッドチップ、液体噴射ヘッドおよび液体噴射記録装置によれば、信頼性を向上させることが可能となる。
【図面の簡単な説明】
【０００９】
【図１】本開示の一実施の形態に係る液体噴射記録装置の概略構成例を表す模式斜視図である。
【図２】図１に示した液体噴射ヘッドの要部構成例を表す模式底面図である。
【図３】図２に示したヘッドチップにおけるＩＩＩ−ＩＩＩ線に沿った断面構成例を表す模式図である。
【図４】図３に示したカバープレートの上面構成例を表す模式図である。
【図５】図２に示したＶ−Ｖ線に沿ったヘッドチップの断面構成例を表す模式図である。
【図６】図２に示したＶＩ−ＶＩ線に沿ったヘッドチップの断面構成例を表す模式図である。
【図７】比較例に係るカバープレートの上面構成例を表す模式図である。
【図８】変形例１に係るカバープレートの上面構成例を表す模式図である。
【図９】変形例２に係るカバープレートの上面構成例を表す模式図である。
【図１０】変形例３に係るカバープレートの上面構成例を表す模式図である。
【発明を実施するための形態】
【００１０】
以下、本開示の実施の形態について、図面を参照して詳細に説明する。なお、説明は以下の順序で行う。
１．実施の形態（吐出溝の形成領域に対応する全領域に第２共通電極を形成した例）
２．変形例
変形例１（第２共通電極が形成されない複数の露出面を等間隔に配置した例）
変形例２，３（吐出溝の並設方向の共通配線同士で第２共通電極を形成した例）
３．その他の変形例
【００１１】
＜１．実施の形態＞
［プリンタ１の全体構成］
図１は、本開示の一実施の形態に係る液体噴射記録装置としてのプリンタ１の概略構成例を、模式的に斜視図にて表したものである。このプリンタ１は、後述するインク９を利用して、被記録媒体としての記録紙Ｐに対して、画像や文字等の記録（印刷）を行うインクジェットプリンタである。
【００１２】
プリンタ１は、図１に示したように、一対の搬送機構２ａ，２ｂと、インクタンク３と、インクジェットヘッド４と、循環機構５と、走査機構６とを備えている。これらの各部材は、所定形状を有する筺体１０内に収容されている。なお、本明細書の説明に用いられる各図面では、各部材を認識可能な大きさとするため、各部材の縮尺を適宜変更している。
【００１３】
ここで、プリンタ１は、本開示における「液体噴射記録装置」の一具体例に対応し、インクジェットヘッド４（後述するインクジェットヘッド４Ｙ，４Ｍ，４Ｃ，４Ｂ）は、本開示における「液体噴射ヘッド」の一具体例に対応している。また、インク９は、本開示における「液体」の一具体例に対応している。
【００１４】
搬送機構２ａ，２ｂはそれぞれ、図１に示したように、記録紙Ｐを搬送方向ｄ（Ｘ軸方向）に沿って搬送する機構である。これらの搬送機構２ａ，２ｂはそれぞれ、グリッドローラ２１、ピンチローラ２２および駆動機構（不図示）を有している。グリッドローラ２１およびピンチローラ２２はそれぞれ、Ｙ軸方向（記録紙Ｐの幅方向）に沿って延設されている。駆動機構は、グリッドローラ２１を軸周りに回転させる（Ｚ−Ｘ面内で回転させる）機構であり、例えばモータ等によって構成されている。
【００１５】
（インクタンク３）
インクタンク３は、インク９を内部に収容するタンクである。このインクタンク３としては、この例では図１に示したように、イエロー（Ｙ），マゼンダ（Ｍ），シアン（Ｃ），ブラック（Ｂ）の４色のインク９を個別に収容する、４種類のタンクが設けられている。すなわち、イエローのインク９を収容するインクタンク３Ｙと、マゼンダのインク９を収容するインクタンク３Ｍと、シアンのインク９を収容するインクタンク３Ｃと、ブラックのインク９を収容するインクタンク３Ｂとが設けられている。これらのインクタンク３Ｙ，３Ｍ，３Ｃ，３Ｂは、筺体１０内において、Ｘ軸方向に沿って並んで配置されている。
【００１６】
なお、インクタンク３Ｙ，３Ｍ，３Ｃ，３Ｂはそれぞれ、収容するインク９の色以外については同一の構成であるため、以下ではインクタンク３と総称して説明する。また、このインクタンク３（３Ｙ，３Ｍ，３Ｃ，３Ｂ）は、本開示における「収容部」の一具体例に対応している。
【００１７】
（インクジェットヘッド４）
インクジェットヘッド４は、後述する複数のノズル（ノズル孔Ｈ１，Ｈ２）から記録紙Ｐに対して液滴状のインク９を噴射（吐出）して、画像や文字等の記録を行うヘッドである。このインクジェットヘッド４としても、この例では図１に示したように、上記したインクタンク３Ｙ，３Ｍ，３Ｃ，３Ｂにそれぞれ収容されている４色のインク９を個別に噴射する、４種類のヘッドが設けられている。すなわち、イエローのインク９を噴射するインクジェットヘッド４Ｙと、マゼンダのインク９を噴射するインクジェットヘッド４Ｍと、シアンのインク９を噴射するインクジェットヘッド４Ｃと、ブラックのインク９を噴射するインクジェットヘッド４Ｂとが設けられている。これらのインクジェットヘッド４Ｙ，４Ｍ，４Ｃ，４Ｂは、筺体１０内において、Ｙ軸方向に沿って並んで配置されている。
【００１８】
なお、インクジェットヘッド４Ｙ，４Ｍ，４Ｃ，４Ｂはそれぞれ、利用するインク９の色以外については同一の構成であるため、以下ではインクジェットヘッド４と総称して説明する。また、このインクジェットヘッド４の詳細構成については、後述する（図２〜図６）。
【００１９】
（循環機構５）
循環機構５は、インクタンク３内とインクジェットヘッド４内との間でインク９を循環させるための機構である。この循環機構５は、例えば、インク９を循環させるための流路である循環流路５０と、一対の送液ポンプ５２ａ，５２ｂとを含んで構成されている。
【００２０】
循環流路５０は、図１に示したように、インクタンク３から送液ポンプ５２ａを介してインクジェットヘッド４へと至る部分である流路５０ａと、インクジェットヘッド４から送液ポンプ５２ｂを介してインクタンク３へと至る部分である流路５０ｂとを有している。言い換えると、流路５０ａは、インクタンク３からインクジェットヘッド４へと向かって、インク９が流れる流路である。また、流路５０ｂは、インクジェットヘッド４からインクタンク３へと向かって、インク９が流れる流路である。なお、これらの流路５０ａ，５０ｂ（インク９の供給チューブ）はそれぞれ、可撓性を有するフレキシブルホースにより構成されている。
【００２１】
（走査機構６）
走査機構６は、記録紙Ｐの幅方向（Ｙ軸方向）に沿って、インクジェットヘッド４を走査させる機構である。この走査機構６は、図１に示したように、Ｙ軸方向に沿って延設された一対のガイドレール６１ａ，６１ｂと、これらのガイドレール６１ａ，６１ｂに移動可能に支持されたキャリッジ６２と、このキャリッジ６２をＹ軸方向に沿って移動させる駆動機構６３と、を有している。また、駆動機構６３は、ガイドレール６１ａ，６１ｂの間に配置された一対のプーリ６３１ａ，６３１ｂと、これらのプーリ６３１ａ，６３１ｂ間に巻回された無端ベルト６３２と、プーリ６３１ａを回転駆動させる駆動モータ６３３と、を有している。
【００２２】
プーリ６３１ａ，６３１ｂはそれぞれ、Ｙ軸方向に沿って、各ガイドレール６１ａ，６１ｂにおける両端付近に対応する領域に配置されている。無端ベルト６３２には、キャリッジ６２が連結されている。このキャリッジ６２上には、前述した４種類のインクジェットヘッド４Ｙ，４Ｍ，４Ｃ，４Ｂが、Ｙ軸方向に沿って並んで配置されている。
【００２３】
なお、このような走査機構６と前述した搬送機構２ａ，２ｂとにより、インクジェットヘッド４と記録紙Ｐとを相対的に移動させる、移動機構が構成されるようになっている。
【００２４】
［インクジェットヘッド４の詳細構成］
次に、図１に加えて図２〜図６を参照して、インクジェットヘッド４（ヘッドチップ４１）の詳細構成例について説明する。
【００２５】
図２は、ノズルプレート４１１（後出）を取り外した状態におけるインクジェットヘッド４の要部構成例を、模式的に底面図（Ｘ−Ｙ底面図）で表したものである。図３は、図２に示したＩＩＩ−ＩＩＩ線に沿ったインクジェットヘッド４の断面構成例（Ｚ−Ｘ断面構成例）を、模式的に表したものである。図４は、図３に示したカバープレート４１３（後出）の上面構成例（Ｘ−Ｙ上面構成例）を、模式的に表したものである。図５は、図２に示したＶ−Ｖ線に沿ったインクジェットヘッド４の断面構成例を模式的に表したものであり、後述するヘッドチップ４１における吐出チャネルＣ１ｅ，Ｃ２ｅ（吐出溝）付近の断面構成例に対応している。また、図６は、図２に示したＶＩ−ＶＩ線に沿ったインクジェットヘッド４の断面構成例を模式的に表したものであり、後述するヘッドチップ４１におけるダミーチャネルＣ１ｄ，Ｃ２ｄ（非吐出溝）付近の断面構成例に対応している。
【００２６】
本実施の形態のインクジェットヘッド４は、後述するヘッドチップ４１における複数のチャネル（複数のチャネルＣ１および複数のチャネルＣ２）の延在方向（後述する斜め方向）の中央部からインク９を吐出する、いわゆるサイドシュートタイプのインクジェットヘッドである。また、このインクジェットヘッド４は、前述した循環機構５（循環流路５０）を用いることで、インクタンク３との間でインク９を循環させて利用する、循環式のインクジェットヘッドである。
【００２７】
図３に示したように、インクジェットヘッド４は、ヘッドチップ４１および流路プレート４０を備えている。また、このインクジェットヘッド４には、制御機構（ヘッドチップ４１の動作を制御する機構）として、回路基板（不図示）と、後述するフレキシブルプリント基板（Flexible Printed Circuits：ＦＰＣ）４４１，４４２とが設けられている。
【００２８】
回路基板は、ヘッドチップ４１を駆動するための駆動回路（電気回路）を搭載する基板である。フレキシブルプリント基板４４１，４４２はそれぞれ、詳細は後述するが（図４，図５参照）、この回路基板上の駆動回路と、ヘッドチップ４１における後述する駆動電極Ｅｄとの間を、電気的に接続するための基板である。なお、このようなフレキシブルプリント基板４４１，４４２にはそれぞれ、後述する複数の引き出し電極がプリント配線されるようになっている。
【００２９】
ヘッドチップ４１は、図３に示したように、インク９をＺ軸方向に沿って噴射する部材であり、各種のプレートを用いて構成されている。具体的には図３に示したように、ヘッドチップ４１は、ノズルプレート（噴射孔プレート）４１１、アクチュエータプレート４１２およびカバープレート４１３を、主に備えている。これらのノズルプレート４１１、アクチュエータプレート４１２およびカバープレート４１３と、上記した流路プレート４０とはそれぞれ、例えば接着剤等を用いて互いに貼り合わされており、Ｚ軸方向に沿ってこの順に積層されている。なお、以下では、Ｚ軸方向に沿って流路プレート４０側（カバープレート４１３側）を上方と称すると共に、ノズルプレート４１１側を下方と称して説明する。
【００３０】
（ノズルプレート４１１）
ノズルプレート４１１は、例えば５０μｍ程度の厚みを有する、ポリイミド等のフィルム材からなり、図３に示したように、アクチュエータプレート４１２の下面に接着されている。ただし、ノズルプレート４１１の構成材料は、ポリイミド等の樹脂材料には限られず、例えば金属材料であってもよい。また、図２に示したように、このノズルプレート４１１には、Ｘ軸方向に沿ってそれぞれ延在する、２列のノズル列（ノズル列Ａｎ１，Ａｎ２）が設けられている。これらのノズル列Ａｎ１，Ａｎ２同士は、Ｙ軸方向に沿って所定の間隔をおいて配置されている。このように、本実施の形態のインクジェットヘッド４（ヘッドチップ４１）は、２列タイプのインクジェットヘッド（ヘッドチップ）となっている。
【００３１】
ノズル列Ａｎ１は、Ｘ軸方向に沿って所定の間隔をおいて一直線上に並んで形成された、複数のノズル孔Ｈ１を有している。これらのノズル孔Ｈ１はそれぞれ、ノズルプレート４１１をその厚み方向（Ｚ軸方向）に沿って貫通しており、例えば図３および図５に示したように、後述するアクチュエータプレート４１２における吐出チャネルＣ１ｅ内に個別に連通している。具体的には図２に示したように、各ノズル孔Ｈ１は、吐出チャネルＣ１ｅの延在方向（後述する斜め方向）に沿った中央部に位置するように形成されている。また、ノズル孔Ｈ１におけるＸ軸方向に沿った形成ピッチは、吐出チャネルＣ１ｅにおけるＸ軸方向に沿った形成ピッチと同一（同一ピッチ）となっている。このようなノズル列Ａｎ１内のノズル孔Ｈ１からは、詳細は後述するが、吐出チャネルＣ１ｅ内から供給されるインク９が吐出（噴射）されるようになっている。
【００３２】
ノズル列Ａｎ２も同様に、Ｘ軸方向に沿って所定の間隔をおいて一直線上に並んで形成された、複数のノズル孔Ｈ２を有している。これらのノズル孔Ｈ２もそれぞれ、ノズルプレート４１１をその厚み方向に沿って貫通しており、後述するアクチュエータプレート４１２における吐出チャネルＣ２ｅ内に個別に連通している。具体的には図２に示したように、各ノズル孔Ｈ２は、吐出チャネルＣ２ｅの延在方向（後述する斜め方向）に沿った中央部に位置するように形成されている。また、ノズル孔Ｈ２におけるＸ軸方向に沿った形成ピッチは、吐出チャネルＣ２ｅにおけるＸ軸方向に沿った形成ピッチと同一となっている。このようなノズル列Ａｎ２内のノズル孔Ｈ２からも、詳細は後述するが、吐出チャネルＣ２ｅ内から供給されるインク９が吐出されるようになっている。
【００３３】
また、図２に示したように、ノズル列Ａｎ１における各ノズル孔Ｈ１と、ノズル列Ａｎ２における各ノズル孔Ｈ２とは、Ｘ軸方向に沿って互い違いとなるように配置されている。したがって、本実施の形態のインクジェットヘッド４では、ノズル列Ａｎ１におけるノズル孔Ｈ１と、ノズル列Ａｎ２におけるノズル孔Ｈ２とが、千鳥状に配置されている。なお、このようなノズル孔Ｈ１，Ｈ２はそれぞれ、下方に向かうに従って漸次縮径するテーパ状の貫通孔となっている。
【００３４】
（アクチュエータプレート４１２）
アクチュエータプレート４１２は、例えばＰＺＴ（チタン酸ジルコン酸鉛）等の圧電材料により構成されたプレートである。このアクチュエータプレート４１２は、図３に示したように、分極方向が互いに異なる２つの圧電基板を、厚み方向（Ｚ軸方向）に沿って積層して構成されている（いわゆる、シェブロンタイプ）。ただし、アクチュエータプレート４１２の構成としては、このシェブロンタイプには限られない。すなわち、例えば、分極方向が厚み方向（Ｚ軸方向）に沿って一方向に設定されている１つ（単一）の圧電基板によって、アクチュエータプレート４１２を構成するようにしてもよい（いわゆる、カンチレバータイプ）。
【００３５】
また、図２に示したように、アクチュエータプレート４１２には、Ｘ軸方向に沿ってそれぞれ延在する、２列のチャネル列（チャネル列４２１，４２２）が設けられている。これらのチャネル列４２１，４２２同士は、Ｙ軸方向に沿って所定の間隔をおいて配置されている。
【００３６】
このようなアクチュエータプレート４１２では、図２に示したように、Ｘ軸方向に沿った中央部（チャネル列４２１，４２２の形成領域）に、インク９の吐出領域（噴射領域）が設けられている。一方、アクチュエータプレート４１２において、Ｘ軸方向に沿った両端部（チャネル列４２１，４２２の非形成領域）には、インク９の非吐出領域（非噴射領域）が設けられている。この非吐出領域は、上記した吐出領域に対して、Ｘ軸方向に沿った外側に位置している。なお、アクチュエータプレート４１２におけるＹ軸方向に沿った両端部はそれぞれ、図２に示したように、尾部４２０を構成している。
【００３７】
上記したチャネル列４２１は、図２および図３に示したように、複数のチャネルＣ１を有している。これらのチャネルＣ１は、図２に示したように、アクチュエータプレート４１２内においてＹ軸方向から所定の角度（鋭角）を成す、斜め方向に沿って延在している。また、これらのチャネルＣ１は、図２に示したように、Ｘ軸方向に沿って所定の間隔をおいて互いに平行となるよう、並んで配置されている。各チャネルＣ１は、圧電体（アクチュエータプレート４１２）からなる駆動壁Ｗｄによってそれぞれ画成されており、断面視にて凹状の溝部となっている（図３参照）。
【００３８】
チャネル列４２２も同様に、図２に示したように、上記した斜め方向に沿って延在する複数のチャネルＣ２を有している。これらのチャネルＣ２は、図２に示したように、Ｘ軸方向に沿って所定の間隔をおいて互いに平行となるよう、並んで配置されている。各チャネルＣ２もまた、上記した駆動壁Ｗｄによってそれぞれ画成されており、断面視にて凹状の溝部となっている。
【００３９】
ここで、図２，図３，図５，図６に示したように、チャネルＣ１には、インク９を吐出させるための吐出チャネルＣ１ｅ（吐出溝）と、インク９を吐出させないダミーチャネルＣ１ｄ（非吐出溝）とが存在している。図２，図３に示したように、チャネル列４２１において、これらの吐出チャネルＣ１ｅとダミーチャネルＣ１ｄとは、Ｘ軸方向に沿って交互に配置されている。各吐出チャネルＣ１ｅは、ノズルプレート４１１におけるノズル孔Ｈ１と連通している一方、各ダミーチャネルＣ１ｄはノズル孔Ｈ１には連通しておらず、ノズルプレート４１１の上面によって下方から覆われている（図３，図５，図６参照）。
【００４０】
同様に、図２，図５，図６に示したように、チャネルＣ２には、インク９を吐出させるための吐出チャネルＣ２ｅ（吐出溝）と、インク９を吐出させないダミーチャネルＣ２ｄ（非吐出溝）とが存在している。図２に示したように、チャネル列４２２において、これらの吐出チャネルＣ２ｅとダミーチャネルＣ２ｄとは、Ｘ軸方向に沿って交互に配置されている。各吐出チャネルＣ２ｅは、ノズルプレート４１１におけるノズル孔Ｈ２と連通している一方、各ダミーチャネルＣ２ｄはノズル孔Ｈ２には連通しておらず、ノズルプレート４１１の上面によって下方から覆われている（図５，図６参照）。
【００４１】
なお、このような吐出チャネルＣ１ｅ，Ｃ２ｅはそれぞれ、本開示における「吐出溝」の一具体例に対応している。
【００４２】
また、図２中のＶ−Ｖ線で示したように、チャネル列４２１における吐出チャネルＣ１ｅと、チャネル列４２２における吐出チャネルＣ２ｅとは、これら吐出チャネルＣ１ｅ，Ｃ２ｅの延在方向（前述した斜め方向）に沿って、一直線上に配置されている（図５参照）。同様に、図２中のＶＩ−ＶＩ線で示したように、チャネル列４２１におけるダミーチャネルＣ１ｄと、チャネル列４２２におけるダミーチャネルＣ２ｄとは、これらダミーチャネルＣ１ｄ，Ｃ２ｄの延在方向（上記斜め方向）に沿って、一直線上に配置されている（図６参照）。
【００４３】
なお、吐出チャネルＣ１ｅ，Ｃ２ｅはそれぞれ、図５に示したように、カバープレート４１３側（上方）からノズルプレート４１１側（下方）へ向けて吐出チャネルＣ１ｅ，Ｃ２ｅの断面積が徐々に小さくなる、円弧状の側面を有している。このような吐出チャネルＣ１ｅ，Ｃ２ｅにおける円弧状の側面はそれぞれ、例えば、ダイサーによる切削加工によって形成されるようになっている。
【００４４】
ここで、図３に示したように、上記した駆動壁Ｗｄにおける対向する内側面にはそれぞれ、上記した斜め方向に沿って延在する、駆動電極Ｅｄが設けられている。この駆動電極Ｅｄには、吐出チャネルＣ１ｅ，Ｃ２ｅに面する内側面に設けられた共通電極（コモン電極）Ｅｄｃ（Ｅｄｃ１）と、ダミーチャネルＣ１ｄ，Ｃ２ｄに面する内側面に設けられた個別電極（アクティブ電極）Ｅｄａとが存在している。なお、このような駆動電極Ｅｄ（共通電極Ｅｄｃ１および個別電極Ｅｄａ）は、図３に示したように、駆動壁Ｗｄの内側面上において、深さ方向（Ｚ軸方向）の全体に亘って形成されている。
【００４５】
同一の吐出チャネルＣ１ｅ（または吐出チャネルＣ２ｅ）内で対向する一対の共通電極Ｅｄｃ１同士は、共通端子（後述する共通配線Ｗｄｃ）において、互いに電気的に接続されている。また、同一のダミーチャネルＣ１ｄ（またはダミーチャネルＣ２ｄ）内で対向する一対の個別電極Ｅｄａ同士は、互いに電気的に分離されている。一方、吐出チャネルＣ１ｅ（または吐出チャネルＣ２ｅ）を介して対向する一対の個別電極Ｅｄａ同士は、図示しない個別端子（個別配線）において互いに電気的に接続されている。
【００４６】
ここで、前述した尾部４２０においては、駆動電極Ｅｄと前述した回路基板との間を電気的に接続するための、前述したフレキシブルプリント基板４４１，４４２が実装されている。これらのフレキシブルプリント基板４４１，４４２に形成された配線パターン（不図示）は、詳細は後述するが（図４〜図６参照）、上記した共通配線Ｗｄｃおよび個別配線に対して電気的に接続されている。これにより、これらのフレキシブルプリント基板４４１，４４２を介して、上記した回路基板上の駆動回路から各駆動電極Ｅｄに対して、駆動電圧が印加されるようになっている。
【００４７】
（カバープレート４１３）
カバープレート４１３は、図３，図５，図６に示したように、アクチュエータプレート４１２における各チャネルＣ１，Ｃ２（各チャネル列４２１，４２２）を閉塞するように配置されている。具体的には、このカバープレート４１３は、アクチュエータプレート４１２の上面に接着されており、板状構造となっている。
【００４８】
カバープレート４１３には、図４〜図６に示したように、一対の入口側共通インク室Ｒin１，Ｒin２と、一対の出口側共通インク室Ｒout１，Ｒout２とが、それぞれ形成されている。これらの入口側共通インク室Ｒin１，Ｒin２および出口側共通インク室Ｒout１，Ｒout２はそれぞれ、Ｘ軸方向に沿って延在していると共に、所定の間隔をおいて互いに平行となるよう、並んで配置されている。また、入口側共通インク室Ｒin１および出口側共通インク室Ｒout１はそれぞれ、アクチュエータプレート４１２におけるチャネル列４２１（複数のチャネルＣ１）に対応する領域に形成されている。一方、入口側共通インク室Ｒin２および出口側共通インク室Ｒout２はそれぞれ、アクチュエータプレート４１２におけるチャネル列４２２（複数のチャネルＣ２）に対応する領域に形成されている。
【００４９】
入口側共通インク室Ｒin１は、各チャネルＣ１におけるＹ軸方向に沿った内側の端部付近に形成されており、凹状の溝部となっている（図４〜図６参照）。この入口側共通インク室Ｒin１において、各吐出チャネルＣ１ｅに対応する領域には、カバープレート４１３をその厚み方向（Ｚ軸方向）に沿って貫通する、供給スリットＳin１が形成されている（図５参照）。同様に、入口側共通インク室Ｒin２は、各チャネルＣ２におけるＹ軸方向に沿った内側の端部付近に形成されており、凹状の溝部となっている（図４〜図６参照）。この入口側共通インク室Ｒin２において、各吐出チャネルＣ２ｅに対応する領域にも、カバープレート４１３をその厚み方向に沿って貫通する、供給スリットＳin２が形成されている（図５参照）。
【００５０】
なお、これらの入口側共通インク室Ｒin１，Ｒin２はそれぞれ、本開示における「第１の溝部」の一具体例に対応している。また、供給スリットＳin１，Ｓin２はそれぞれ、本開示における「第１貫通孔」の一具体例に対応している。
【００５１】
出口側共通インク室Ｒout１は、各チャネルＣ１におけるＹ軸方向に沿った外側の端部付近に形成されており、凹状の溝部となっている（図４〜図６参照）。この出口側共通インク室Ｒout１において、各吐出チャネルＣ１ｅに対応する領域には、カバープレート４１３をその厚み方向に沿って貫通する、排出スリットＳout１が形成されている（図５参照）。同様に、出口側共通インク室Ｒout２は、各チャネルＣ２におけるＹ軸方向に沿った外側の端部付近に形成されており、凹状の溝部となっている（図４〜図６参照）。この出口側共通インク室Ｒout２において、各吐出チャネルＣ２ｅに対応する領域にも、カバープレート４１３をその厚み方向に沿って貫通する、排出スリットＳout２が形成されている（図５参照）。
【００５２】
なお、これらの出口側共通インク室Ｒout１，Ｒout２はそれぞれ、本開示における「第２の溝部」の一具体例に対応している。また、排出スリットＳout１，Ｓout２はそれぞれ、本開示における「第２貫通孔」の一具体例に対応している。
【００５３】
このようにして、入口側共通インク室Ｒin１および出口側共通インク室Ｒout１はそれぞれ、供給スリットＳin１および排出スリットＳout１を介して各吐出チャネルＣ１ｅに連通する一方、各ダミーチャネルＣ１ｄには連通していない（図５，図６参照）。すなわち、各ダミーチャネルＣ１ｄは、これら入口側共通インク室Ｒin１および出口側共通インク室Ｒout１における底部によって、閉塞されるようになっている（図６参照）。
【００５４】
同様に、入口側共通インク室Ｒin２および出口側共通インク室Ｒout２はそれぞれ、供給スリットＳin２および排出スリットＳout２を介して各吐出チャネルＣ２ｅに連通する一方、各ダミーチャネルＣ２ｄには連通していない（図５，図６参照）。すなわち、各ダミーチャネルＣ２ｄは、これら入口側共通インク室Ｒin２および出口側共通インク室Ｒout２における底部によって、閉塞されるようになっている（図６参照）。
【００５５】
（流路プレート４０）
流路プレート４０は、図３に示したように、カバープレート４１３の上面に配置されており、インク９が流れる所定の流路（不図示）を有している。また、このような流路プレート４０内の流路には、前述した循環機構５における流路５０ａ，５０ｂが接続されており、この流路に対するインク９の流入と、この流路からのインク９の流出とが、それぞれなされるようになっている。
【００５６】
［共通配線Ｗｄｃ，共通電極Ｅｄｃ２の構成］
次に、図４〜図６を参照して、前述した共通配線Ｗｄｃ（吐出チャネルＣ１ｅ，Ｃ２ｅ内に形成された共通電極Ｅｄｃ１に電気的に接続された配線）と、複数の共通配線Ｗｄｃ同士の電気的接続により形成される共通電極Ｅｄｃ２とについて、詳細に説明する。
【００５７】
まず、図４に示したように、本実施の形態のカバープレート４１３には、前述した供給スリットＳin１，Ｓin２および排出スリットＳout１，Ｓout２と、壁部Ｗ１，Ｗ２とが設けられている。具体的には、供給スリットＳin１および排出スリットＳout１はそれぞれ、吐出チャネルＣ１ｅとの間でインク９が流れる貫通孔であり、供給スリットＳin２および排出スリットＳout２はそれぞれ、吐出チャネルＣ２ｅとの間でインク９が流れる貫通孔である。詳細には図５中の破線の矢印で示したように、供給スリットＳin１，Ｓin２はそれぞれ、吐出チャネルＣ１ｅ，Ｃ２ｅ内にインク９を流入させるための貫通孔であり、排出スリットＳout１，Ｓout２はそれぞれ、吐出チャネルＣ１ｅ，Ｃ２ｅ内からインク９を流出させるための貫通孔である。
【００５８】
また、上記した壁部Ｗ１は、吐出チャネルＣ１ｅの上方を覆うようにして、入口側共通インク室Ｒin１および出口側共通インク室Ｒout１の間に配置されている。同様に、上記した壁部Ｗ２は、吐出チャネルＣ２ｅの上方を覆うようにして、入口側共通インク室Ｒin２および出口側共通インク室Ｒout２の間に配置されている。
【００５９】
ここで、本実施の形態のヘッドチップ４１では、まず、複数の吐出チャネルＣ１ｅ内にそれぞれ形成されている共通電極Ｅｄｃ１同士が互いに電気的に接続され（図５中の符号Ｐ５１参照）、前述した共通配線Ｗｄｃとしてカバープレート４１３の上面に引き出されている（図４〜図６参照）。この共通配線Ｗｄｃは、カバープレート４１３を貫通する貫通孔または切り欠き部（図４，図５中の符号Ｐ２１参照）を介して、カバープレート４１３の底面上において、前述したフレキシブルプリント基板４４１上の引き出し電極に対して電気的に接続されている（図５中の符号Ｐ１１参照）。また、上記した共通配線Ｗｄｃは、出口側共通インク室Ｒout１内にも引き出されている（図４中の符号Ｐ３１および図５，図６参照）。
【００６０】
同様に、このヘッドチップ４１では、複数の吐出チャネルＣ２ｅ内にそれぞれ形成されている共通電極Ｅｄｃ１同士が互いに電気的に接続され（図５中の符号Ｐ５２参照）、共通配線Ｗｄｃとしてカバープレート４１３の上面に引き出されている（図４〜図６参照）。この共通配線Ｗｄｃは、カバープレート４１３を貫通する貫通孔または切り欠き部（図４，図５中の符号Ｐ２２参照）を介して、カバープレート４１３の底面上において、前述したフレキシブルプリント基板４４２上の引き出し電極に対して電気的に接続されている（図５中の符号Ｐ１２参照）。また、上記した共通配線Ｗｄｃは、出口側共通インク室Ｒout２内にも引き出されている（図４中の符号Ｐ３２および図５，図６参照）。
【００６１】
また、ヘッドチップ４１では、複数の吐出チャネルＣ１ｅ内の共通電極Ｅｄｃ１同士が、吐出チャネルＣ１ｅ，Ｃ２ｅの間に形成されてＸ軸方向に延在する溝部Ｓ０付近（カバープレート４１３の底面上：図５中の符号Ｐ６１参照）でも互いに電気的に接続され、共通配線Ｗｄｃとして引き出されている（図５参照）。この共通配線Ｗｄｃは、このような溝部Ｓ０付近から、入口側共通インク室Ｒin１内に引き出されている（図４中の符号Ｐ４１および図５，図６参照）。
【００６２】
同様に、このヘッドチップ４１では、複数の吐出チャネルＣ２ｅ内の共通電極Ｅｄｃ１同士が、上記した溝部Ｓ０付近（カバープレート４１３の底面上：図５中の符号Ｐ６２参照）でも互いに電気的に接続され、共通配線Ｗｄｃとして引き出されている（図４参照）。この共通配線Ｗｄｃは、このような溝部Ｓ０付近から、入口側共通インク室Ｒin２内に引き出されている（図４中の符号Ｐ４２および図５，図６参照）。なお、この溝部Ｓ０付近において、吐出チャネルＣ１ｅ内の共通電極Ｅｄｃに電気的に接続された共通配線Ｗｄｃと、吐出チャネルＣ２ｅ内の共通電極Ｅｄｃに電気的に接続された共通配線Ｗｄｃとは、この例では互いに電気的に接続されないようになっている。
【００６３】
ここで、本実施の形態のヘッドチップ４１では、このような複数の共通配線Ｗｄｃが、カバープレート４１３における前述した壁部Ｗ１，Ｗ２の上面（アクチュエータプレート４１２とは反対側の表面，流路プレート４０側の表面）上に、引き回されている（図５，図６参照）。なお、この壁部Ｗ１，Ｗ２の上面は、図４に示した、流路プレート４０との接着面Ｓｂに対応している。そして、このような複数の共通配線Ｗｄｃのうちの少なくとも２以上の共通配線Ｗｄｃ同士が、この壁部Ｗ１，Ｗ２の上面（接着面Ｓｂ）において互いに電気的に接続されることで、この接着面Ｓｂに、共通電極Ｅｄｃ２が形成されている（図４〜図６参照）。
【００６４】
具体的には、本実施の形態では、この接着面Ｓｂにおいて、吐出チャネルＣ１ｅ，Ｃ２ｅの形成領域に対応する全領域に、共通電極Ｅｄｃ２が形成されている（図４参照）。なお、吐出チャネルＣ１ｅの形成領域に対応する全領域とは、入口側共通インク室Ｒin１と出口側共通インク室Ｒout１との間の領域に対応し、吐出チャネルＣ２ｅの形成領域に対応する全領域とは、入口側共通インク室Ｒin２と出口側共通インク室Ｒout２との間の領域に対応している（図４参照）。
【００６５】
つまり、まず、Ｘ軸方向に沿って並設された少なくとも２以上の（この例では全ての）共通配線Ｗｄｃ同士の電気的接続により、接着面Ｓｂ上で共通電極Ｅｄｃ２が形成されている。具体的には、この例では図４に示したように、符号Ｐ３１で示した全ての共通配線Ｗｄｃ同士が、電気的に接続されている。同様にこの例では、符号Ｐ３２で示した全ての共通配線Ｗｄｃ同士が電気的に接続され、符号Ｐ４１で示した全ての共通配線Ｗｄｃ同士が電気的に接続され、符号Ｐ４２で示した全ての共通配線Ｗｄｃ同士が電気的に接続されている。
【００６６】
また、入口側共通インク室Ｒin１内から引き回された共通配線Ｗｄｃ（図４中の符号Ｐ４１参照）と、出口側共通インク室Ｒout１内から引き回された共通配線Ｗｄｃ（図４中の符号Ｐ３１参照）とが、接着面Ｓｂ上でＹ軸方向に沿って互いに電気的接続されて、共通電極Ｅｄｃ２が形成されている（図４〜図６参照）。同様に、入口側共通インク室Ｒin２内から引き回された共通配線Ｗｄｃ（図４中の符号Ｐ４２参照）と、出口側共通インク室Ｒout２内から引き回された共通配線Ｗｄｃ（図４中の符号Ｐ３２参照）とが、接着面Ｓｂ上でＹ軸方向に沿って互いに電気的接続されて、共通電極Ｅｄｃ２が形成されている（図４〜図６参照）。
【００６７】
ここで、共通電極Ｅｄｃ１は、本開示における「第１共通電極」の一具体例に対応し、共通電極Ｅｄｃ２は、本開示における「第２共通電極」の一具体例に対応している。また、Ｘ軸方向は、本開示における「第１の方向」の一具体例に対応し、Ｙ軸方向は、本開示における「第２の方向（第１の方向と交差する方向）」の一具体例に対応している。更に、接着面Ｓｂは、本開示における「（壁部におけるアクチュエータプレートとは）反対側の表面」の一具体例に対応している。
【００６８】
［動作および作用・効果］
（Ａ．プリンタ１の基本動作）
このプリンタ１では、以下のようにして、記録紙Ｐに対する画像や文字等の記録動作（印刷動作）が行われる。なお、初期状態として、図１に示した４種類のインクタンク３（３Ｙ，３Ｍ，３Ｃ，３Ｂ）にはそれぞれ、対応する色（４色）のインク９が十分に封入されているものとする。また、インクタンク３内のインク９は、循環機構５を介してインクジェットヘッド４内に充填された状態となっている。
【００６９】
このような初期状態において、プリンタ１を作動させると、搬送機構２ａ，２ｂにおけるグリッドローラ２１がそれぞれ回転することで、グリッドローラ２１とピンチローラ２２と間に、記録紙Ｐが搬送方向ｄ（Ｘ軸方向）に沿って搬送される。また、このような搬送動作と同時に、駆動機構６３における駆動モータ６３３が、プーリ６３１ａ，６３１ｂをそれぞれ回転させることで、無端ベルト６３２を動作させる。これにより、キャリッジ６２がガイドレール６１ａ，６１ｂにガイドされながら、記録紙Ｐの幅方向（Ｙ軸方向）に沿って往復移動する。そしてこの際に、各インクジェットヘッド４（４Ｙ，４Ｍ，４Ｃ，４Ｂ）によって、４色のインク９を記録紙Ｐに適宜吐出させることで、この記録紙Ｐに対する画像や文字等の記録動作がなされる。
【００７０】
（Ｂ．インクジェットヘッド４における詳細動作）
次いで、図１〜図６を参照して、インクジェットヘッド４における詳細動作（インク９の噴射動作）について説明する。すなわち、本実施の形態のインクジェットヘッド４（サイドシュートタイプ）では、以下のようにして、せん断（シェア）モードを用いたインク９の噴射動作が行われる。
【００７１】
まず、上記したキャリッジ６２（図１参照）の往復移動が開始されると、前述した回路基板上の駆動回路は、前述したフレキシブルプリント基板４４１，４４２を介して、インクジェットヘッド４内の駆動電極Ｅｄ（共通電極Ｅｄｃ１および個別電極Ｅｄａ）に対し、駆動電圧を印加する。具体的には、この駆動回路は、吐出チャネルＣ１ｅ，Ｃ２ｅを画成する一対の駆動壁Ｗｄに配置された各駆動電極Ｅｄに対し、駆動電圧を印加する。これにより、これら一対の駆動壁Ｗｄがそれぞれ、その吐出チャネルＣ１ｅ，Ｃ２ｅに隣接するダミーチャネルＣ１ｄ，Ｃ２ｄ側へ、突出するように変形する（図３参照）。
【００７２】
ここで、前述したように、アクチュエータプレート４１２では、分極方向が厚み方向に沿って異なっている（前述した２つの圧電基板が積層されている）と共に、駆動電極Ｅｄが、駆動壁Ｗｄにおける内側面上の深さ方向の全体に亘って形成されている。このため、上記した駆動回路によって駆動電圧を印加することで、駆動壁Ｗｄにおける深さ方向の中間位置を中心として、駆動壁ＷｄがＶ字状に屈曲変形することになる。そして、このような駆動壁Ｗｄの屈曲変形により、吐出チャネルＣ１ｅ，Ｃ２ｅがあたかも膨らむように変形する。ちなみに、アクチュエータプレート４１２の構成が、このようなシェブロンタイプではなく、前述したカンチレバータイプである場合には、以下のようにして、駆動壁ＷｄがＶ字状に屈曲変形する。すなわち、このカンチレバータイプの場合、駆動電極Ｅｄが深さ方向の上半分まで斜め蒸着によって取り付けられることになるため、この駆動電極Ｅｄが形成されている部分のみに駆動力が及ぶことによって、駆動壁Ｗｄが（駆動電極Ｅｄの深さ方向端部において）屈曲変形する。その結果、この場合においても、駆動壁ＷｄがＶ字状に屈曲変形するため、吐出チャネルＣ１ｅ，Ｃ２ｅがあたかも膨らむように変形することになる。
【００７３】
このように、一対の駆動壁Ｗｄでの圧電厚み滑り効果による屈曲変形によって、吐出チャネルＣ１ｅ，Ｃ２ｅの容積が増大する。そして、吐出チャネルＣ１ｅ，Ｃ２ｅの容積が増大することにより、入口側共通インク室Ｒin１，Ｒin２内に貯留されたインク９が、吐出チャネルＣ１ｅ，Ｃ２ｅ内へ誘導されることになる（図５参照）。
【００７４】
次いで、このようにして吐出チャネルＣ１ｅ，Ｃ２ｅ内へ誘導されたインク９は、圧力波となって吐出チャネルＣ１ｅ，Ｃ２ｅの内部に伝播する。そして、ノズルプレート４１１のノズル孔Ｈ１，Ｈ２にこの圧力波が到達したタイミングで、駆動電極Ｅｄに印加される駆動電圧が、０（ゼロ）Ｖとなる。これにより、上記した屈曲変形の状態から駆動壁Ｗｄが復元する結果、一旦増大した吐出チャネルＣ１ｅ，Ｃ２ｅの容積が、再び元に戻ることになる（図３参照）。
【００７５】
このようにして、吐出チャネルＣ１ｅ，Ｃ２ｅの容積が元に戻ると、吐出チャネルＣ１ｅ，Ｃ２ｅ内部の圧力が増加し、吐出チャネルＣ１ｅ，Ｃ２ｅ内のインク９が加圧される。その結果、液滴状のインク９が、ノズル孔Ｈ１，Ｈ２を通って外部へと（記録紙Ｐへ向けて）吐出される（図３，図５参照）。このようにしてインクジェットヘッド４におけるインク９の噴射動作（吐出動作）がなされ、その結果、記録紙Ｐに対する画像や文字等の記録動作が行われることになる。
【００７６】
特に、本実施の形態のノズル孔Ｈ１，Ｈ２はそれぞれ、前述したように、出口に向かうに従って漸次縮径するテーパ状の断面となっているため（図３，図５参照）、インク９を高速度で真っ直ぐに（直進性良く）吐出することができる。よって、高画質な記録を行うことが可能となる。
【００７７】
（Ｃ．インク９の循環動作）
続いて、図１，図５を参照して、循環機構５によるインク９の循環動作について、詳細に説明する。
【００７８】
図１に示したように、このプリンタ１では、送液ポンプ５２ａによって、インクタンク３内から流路５０ａ内へと、インク９が送液される。また、送液ポンプ５２ｂによって、流路５０ｂ内を流れるインク９が、インクタンク３内へと送液される。
【００７９】
この際に、インクジェットヘッド４内では、インクタンク３内から流路５０ａを介して流れるインク９が、入口側共通インク室Ｒin１，Ｒin２へと流入する。これらの入口側共通インク室Ｒin１，Ｒin２へと供給されたインク９は、図５に示したように、供給スリットＳin１，Ｓin２を介して、アクチュエータプレート４１２における各吐出チャネルＣ１ｅ，Ｃ２ｅ内へと供給される。
【００８０】
また、各吐出チャネルＣ１ｅ，Ｃ２ｅ内のインク９は、図５に示したように、排出スリットＳout１，Ｓout２を介して、各出口側共通インク室Ｒout１，Ｒout２内へと流入する（図５参照）。これらの出口側共通インク室Ｒout１，Ｒout２へ供給されたインク９は、流路５０ｂへと排出されることで、インクジェットヘッド４内から流出される。そして、流路５０ｂへと排出されたインク９は、インクタンク３内へと戻されることになる。このようにして、循環機構５によるインク９の循環動作がなされる。
【００８１】
ここで、循環式ではないインクジェットヘッドでは、乾燥性の高いインクを使用した場合、ノズル孔の近傍でのインクの乾燥に起因して、インクの局所的な高粘度化や固化が生じる結果、インク不吐出の不良が発生するおそれがある。これに対して、本実施の形態のインクジェットヘッド４（循環式のインクジェットヘッド）では、ノズル孔Ｈ１，Ｈ２の近傍に常に新鮮なインク９が供給されることから、上記したようなインク不吐出の不良が回避されることになる。
【００８２】
（Ｄ．作用・効果）
次に、本実施の形態のヘッドチップ４１、インクジェットヘッド４およびプリンタ１における作用および効果について、比較例と比較しつつ詳細に説明する。
【００８３】
（比較例）
図７は、比較例に係るヘッドチップにおけるカバープレート（カバープレート１０３）の上面構成例（Ｘ−Ｙ上面構成例）を、模式的に表したものである。この比較例のカバープレート１０３は、図４に示した本実施の形態のカバープレート４１３において、前述した共通電極Ｅｄｃ２が形成されていないようにしたものに対応している。すなわち、この比較例のカバープレート１０３では、図７に示したように、壁部Ｗ１，Ｗ２の上面（接着面Ｓｂ）において、少なくとも２以上の共通配線Ｗｄｃ同士の電気的接続がなされていない。
【００８４】
このような比較例のカバープレート１０３では、共通配線Ｗｄｃにおける配線抵抗が増大することから、例えば、共通配線Ｗｄｃに印加される駆動電圧における信号波形の鈍りや、共通配線Ｗｄｃでの発熱などが発生するおそれがある。また、各吐出チャネルＣ１ｅ，Ｃ２ｅのＸ軸方向（並設方向）に沿った形成位置によっては、それらの内部の共通電極Ｅｄｃ１から引き回された共通配線Ｗｄｃ間で、配線抵抗のばらつきが大きくなるおそれもある。このため、吐出チャネルＣ１ｅ同士や吐出チャネルＣ２ｅ同士において、インク９の吐出速度がばらついてしまい、ヘッドチップにおける吐出性能が低下してしまうおそれがある。更に、フレキシブルプリント基板４４１，４４２と吐出チャネルＣ１ｅ，Ｃ２ｅ内の共通電極Ｅｄｃ１との間の距離が長い箇所においては、共通配線Ｗｄｃの配線抵抗が大きくなるため、不要な発熱を起こしてしまうおそれがある。また、その場合、ヘッドチップの耐久性が低下したり、消費電力が高くなったりするおそれもある。これらのことから、この比較例のヘッドチップでは、信頼性が損なわれてしまうおそれがある。
【００８５】
（本実施の形態）
これに対して本実施の形態のヘッドチップ４１では、図４〜図６に示したように、まず、共通電極Ｅｄｃ１に対して電気的に接続されている複数の共通配線Ｗｄｃが、カバープレート４１３の壁部Ｗ１，Ｗ２における接着面Ｓｂ上に引き回されている。そして、これら複数の共通配線Ｗｄｃのうちの少なくとも２以上の共通配線Ｗｄｃ同士が、壁部Ｗ１，Ｗ２の接着面Ｓｂにおいて互いに電気的に接続されることで、この接着面Ｓｂに、１または複数の共通電極Ｅｄｃ２（この例では単一の共通電極Ｅｄｃ２）が形成されている。
【００８６】
このような共通電極Ｅｄｃ２がカバープレート４１３の接着面Ｓｂ上に形成されていることで、本実施の形態のヘッドチップ４１では、上記比較例のヘッドチップと比べ、共通配線Ｗｄｃにおける配線抵抗が低減する。よって、本実施の形態では上記比較例と比べ、例えば、共通配線Ｗｄｃに印加される駆動電圧における信号波形の鈍りや、共通配線Ｗｄｃでの発熱などを、抑えることができる。また、本実施の形態では上記比較例と比べ、上記したような、各吐出チャネルＣ１ｅ，Ｃ２ｅのＸ軸方向に沿った形成位置による共通配線の配線抵抗のばらつきも、抑えることができる。このため、吐出チャネルＣ１ｅ同士や吐出チャネルＣ２ｅ同士において、インク９の吐出速度のばらつきが抑えられ、上記比較例と比べ、ヘッドチップ４１における吐出性能が向上する。更に、フレキシブルプリント基板４４１，４４２と吐出チャネルＣ１ｅ，Ｃ２ｅ内の共通電極Ｅｄｃ１との間の距離が長い箇所においても、共通配線Ｗｄｃの配線抵抗が小さくなるため、上記比較例と比べ、不要な発熱の発生が防止され易くなる。また、その結果、ヘッドチップ４１の耐久性が向上すると共に、消費電力が低減する。これらのことから、本実施の形態では上記比較例と比べ、ヘッドチップ４１の信頼性を向上させることが可能となる。
【００８７】
また、特に本実施の形態では、図４に示したように、上記した接着面Ｓｂにおいて、吐出チャネルＣ１ｅ，Ｃ２ｅの形成領域に対応する全領域に、共通電極Ｅｄｃ２が形成されていることから、共通配線Ｗｄｃにおける配線抵抗が、最も低減することになる。よって、例えば上記したような、共通配線Ｗｄｃに印加される駆動電圧における信号波形の鈍りや共通配線Ｗｄｃでの発熱、各吐出チャネルＣ１ｅ，Ｃ２ｅのＸ軸方向に沿った形成位置による共通配線の配線抵抗のばらつきなどを、更に抑えることができる。また、例えば上記したように、吐出チャネルＣ１ｅ同士や吐出チャネルＣ２ｅ同士において、インク９の吐出速度のばらつきが更に抑えられるため、ヘッドチップ４１における吐出性能が更に向上する。加えて、フレキシブルプリント基板４４１，４４２と吐出チャネルＣ１ｅ，Ｃ２ｅ内の共通電極Ｅｄｃ１との間の距離が長い箇所においても、共通配線Ｗｄｃの配線抵抗が更に小さくなるため、不要な発熱の発生が更に防止され易くなる。また、その結果、ヘッドチップ４１の耐久性が更に向上すると共に、消費電力が更に低減する。これらのことから、特に本実施の形態では、ヘッドチップ４１の信頼性を更に向上させることが可能となる。また、上記した全領域に共通電極Ｅｄｃ２が形成されることから、この共通電極Ｅｄｃ２の形成工程が簡便化され、ヘッドチップ４１の製造コストを低減することも可能となる。
【００８８】
ここでまた、本実施の形態では、図４に示したように、Ｘ軸方向（複数の吐出チャネルＣ１ｅ，Ｃ２ｅの並設方向）に沿って並設された、少なくとも２以上の共通配線Ｗｄｃ同士の電気的接続により、接着面Ｓｂ上で共通電極Ｅｄｃ２が形成されている。これにより、例えば、Ｘ軸方向に沿った２以上の共通配線Ｗｄｃ同士が電気的接続されていない場合と比べ、共通配線Ｗｄｃにおける配線抵抗が更に低減すると共に、上記した共通配線Ｗｄｃにおける配線抵抗のばらつきも、更に抑えられる。よって、本実施の形態ではそのような場合と比べ、ヘッドチップ４１の信頼性を更に向上させることが可能となる。
【００８９】
特に本実施の形態では、図４に示したように、このようなＸ軸方向に沿って並設された全ての共通配線Ｗｄｃ同士の電気的接続により、接着面Ｓｂ上で共通電極Ｅｄｃ２が形成されている。これにより、例えば後述する変形例３（図１０参照）のように、Ｘ軸方向に沿った一部の共通配線Ｗｄｃ同士のみが電気的接続されている場合と比べ、共通配線Ｗｄｃにおける配線抵抗が更に低減すると共に、上記した共通配線Ｗｄｃにおける配線抵抗のばらつきも、更に抑えられる。よって、本実施の形態ではそのような場合（変形例３など）と比べ、ヘッドチップ４１の信頼性をより一層向上させることが可能となる。
【００９０】
更に、本実施の形態では図４〜図６に示したように、入口側共通インク室Ｒin１，Ｒin２内から引き回された共通配線Ｗｄｃと、出口側共通インク室Ｒout１，Ｒout２内から引き回された共通配線Ｗｄｃとがそれぞれ、接着面Ｓｂ上でＹ軸方向に沿って互いに電気的接続されて、共通電極Ｅｄｃ２が形成されている。これにより、例えば後述する変形例２，３（図９，図１０参照）のように、そのような共通配線Ｗｄｃ同士がＹ軸方向に沿って電気的接続されていない場合と比べ、以下のようになる。すなわち、共通配線Ｗｄｃにおける配線抵抗が更に低減すると共に、共通配線Ｗｄｃ上での断線不良のリスクが低減したり、共通配線Ｗｄｃと、カバープレート４１３や外部の配線基板（フレキシブルプリント基板４４１，４４２等）との接続不良などのリスクも、低減される。よって、本実施の形態ではそのような場合（変形例２，３など）と比べ、ヘッドチップ４１の信頼性を更に向上させることが可能となる。
【００９１】
＜２．変形例＞
続いて、上記実施の形態の変形例（変形例１〜３）について説明する。なお、実施の形態における構成要素と同一のものには同一の符号を付し、適宜説明を省略する。
【００９２】
［変形例１］
図８は、変形例１に係るヘッドチップにおけるカバープレート（カバープレート４１３Ａ）の上面構成例（Ｘ−Ｙ上面構成例）を、模式的に表したものである。この変形例１のカバープレート４１３Ａは、図４に示した実施の形態のカバープレート４１３において、共通電極Ｅｄｃ２の配置形状を異ならせたものに対応しており、他の構成は基本的に同様となっている。
【００９３】
具体的には、実施の形態のカバープレート４１３（図４）では、前述した接着面Ｓｂにおいて、吐出チャネルＣ１ｅ，Ｃ２ｅの形成領域に対応する全領域に、共通電極Ｅｄｃ２が形成されている。これに対して、本変形例のカバープレート４１３Ａでは、この接着面Ｓｂの一部に、共通電極Ｅｄｃ２が形成されない領域（後述する露出面Ｓｅ）が設けられている。
【００９４】
より具体的には、このカバープレート４１３Ａでは、図８に示したように、壁部Ｗ１，Ｗ２における接着面Ｓｂの一部（後述する接着面Ｓｂ２）が、共通電極Ｅｄｃ２が形成されずにカバープレート４１３Ａの表面が露出している、露出面Ｓｅとなっている。なお、以下では図８中に示したように、壁部Ｗ１，Ｗ２における接着面Ｓｂのうち、共通電極Ｅｄｃ２の形成領域を、接着面Ｓｂ１と称すると共に、共通電極Ｅｄｃ２の非形成領域（露出面Ｓｅの形成領域）を、接着面Ｓｂ２と称する。
【００９５】
また、特に本変形例のカバープレート４１３Ａでは、図８に示したように、このような露出面Ｓｅが接着面Ｓｂ上に複数設けられていると共に、複数の露出面Ｓｅ同士が、Ｘ軸方向（複数の吐出チャネルＣ１ｅ，Ｃ２ｅの並設方向）に沿って、等間隔に配置されている。
【００９６】
ここで、接着面Ｓｂ１，Ｓｂ２はそれぞれ、本開示における「（壁部におけるアクチュエータプレートとは）反対側の表面」の一具体例に対応している。
【００９７】
なお、このカバープレート４１３Ａにおいても、カバープレート４１３と同様に、Ｘ軸方向に沿って並設された少なくとも２以上（この例では全て）の共通配線Ｗｄｃ同士の電気的接続により、接着面Ｓｂ上で共通電極Ｅｄｃ２が形成されている。また、入口側共通インク室Ｒin１，Ｒin２内から引き回された共通配線Ｗｄｃと、出口側共通インク室Ｒout１，Ｒout２内から引き回された共通配線Ｗｄｃとがそれぞれ、接着面Ｓｂ上でＹ軸方向に沿って互いに電気的接続されて、共通電極Ｅｄｃ２が形成されている。
【００９８】
このような構成のカバープレート４１３Ａを備えた本変形例のヘッドチップにおいても、基本的には実施の形態のヘッドチップ４１と同様の作用により、同様の効果を得ることが可能である。
【００９９】
また、特に本変形例では、上記したように、壁部Ｗ１，Ｗ２における接着面Ｓｂの一部（接着面Ｓｂ２）が、共通電極Ｅｄｃ２が形成されずにカバープレート４１３Ａの表面が露出している、露出面Ｓｅとなっている。これにより本変形例では、例えば、カバープレート４１３Ａの上面（接着面Ｓｂ）を、他の部材（例えば流路プレート４０など）と接着させる際に、露出面Ｓｅでは共通電極Ｅｄｃ２が形成されていないことから、この露出面Ｓｅにおける接着力が強まることになる。具体的には、共通電極Ｅｄｃ２が形成されている接着面Ｓｂ１と比べ、露出面Ｓｅからなる接着面Ｓｂ２のほうが、接着力が強まることになる。これは、共通電極Ｅｄｃ２はカバープレート４１３Ａ上に後から付けられるものであることから、この共通電極Ｅｄｃ２上に接着する場合、カバープレート４１３の母材自体（露出面Ｓｅ）に接着する場合と比べて剥がれ易くなり、接着力が低下するためである。よって、本変形例では実施の形態と比べ、上記他のプレートとの接着面Ｓｂ全体での接着力を増加させることができるため、ヘッドチップ全体が耐久性に優れたものとなる。その結果、本変形例では、ヘッドチップの信頼性を更に向上させることが可能となる。
【０１００】
更に、本変形例では、上記したように、露出面Ｓｅが接着面Ｓｂ上に複数設けられていると共に、これら複数の露出面Ｓｅ同士が、Ｘ軸方向に沿って等間隔に配置されている。これにより本変形例では、そのような複数の露出面Ｓｅ同士がＸ軸方向に沿って等間隔に配置されていない場合と比べ、以下のようになる。すなわち、入口側共通インク室Ｒin１，Ｒin２内から引き回された共通配線Ｗｄｃと、出口側共通インク室Ｒout１，Ｒout２内から引き回された共通配線Ｗｄｃとの（Ｙ軸方向に沿った）電気的接続部分において、共通配線Ｗｄｃの配線抵抗の増大が抑えられる。よって、本変形例ではそのような場合と比べ、共通配線Ｗｄｃ全体での配線抵抗を更に低減することができ、ヘッドチップの信頼性をより一層向上させることが可能となる。ただし、本変形例のように、複数の露出面Ｓｅ同士が等間隔に配置されている場合には限られず、例えば上記したように、複数の露出面Ｓｅ同士が等間隔に配置されていないようにしてもよい。
【０１０１】
［変形例２，３］
図９は、変形例２に係るヘッドチップにおけるカバープレート（カバープレート４１３Ｂ）の上面構成例（Ｘ−Ｙ上面構成例）を、模式的に表したものである。また、図１０は、変形例３に係るヘッドチップにおけるカバープレート（カバープレート４１３Ｃ）の上面構成例（Ｘ−Ｙ上面構成例）を、模式的に表したものである。これら変形例２，３のカバープレート４１３Ｂ，４１３Ｃはそれぞれ、上記変形例１のカバープレート４１３Ａにおいて、共通電極Ｅｄｃ２の配置形状を更に異ならせたものに対応しており、他の構成は基本的に同様となっている。
【０１０２】
具体的には、図９に示した変形例２のカバープレート４１３Ｂでは、変形例１のカバープレート４１３Ａ（図８）と同様にして、壁部Ｗ１，Ｗ２における接着面Ｓｂの一部（接着面Ｓｂ２）に、露出面Ｓｅが設けられている。ただし、このカバープレート４１３Ｂではカバープレート４１３Ａとは異なり、単一の露出面Ｓｅによって、Ｙ軸方向に沿った共通配線Ｗｄｃ同士の電気的接続が、遮断されている。つまり、このカバープレート４１３Ｂでは、Ｘ軸方向に沿って並設された全ての共通配線Ｗｄｃ同士の電気的接続によって、接着面Ｓｂ上で共通電極Ｅｄｃ２が形成されているものの、Ｙ軸方向に沿っては、共通配線Ｗｄｃ同士の電気的接続はなされていない。
【０１０３】
一方、図１０に示した変形例３のカバープレート４１３Ｃにおいても、変形例１のカバープレート４１３Ａ（図８）と同様にして、壁部Ｗ１，Ｗ２における接着面Ｓｂの一部（接着面Ｓｂ２）に、露出面Ｓｅが設けられている。ただし、このカバープレート４１３Ｃではカバープレート４１３Ａとは異なり、単一の露出面Ｓｅによって、Ｙ軸方向に沿った共通配線Ｗｄｃ同士の電気的接続が遮断されていると共に、Ｘ軸方向に沿った共通配線Ｗｄｃ同士の電気的接続も、部分的に遮断されている。つまり、このカバープレート４１３Ｃでは、Ｘ軸方向に沿って並設された、少なくとも２以上の共通配線Ｗｄｃ同士の電気的接続によって、接着面Ｓｂ上で共通電極Ｅｄｃ２が形成されているものの、Ｘ軸方向に沿った全ての共通配線Ｗｄｃ同士が電気的に接続されているわけではない。
【０１０４】
これらの変形例２，３のように、カバープレートの接着面Ｓｂ上における、共通電極Ｅｄｃ２および露出面Ｓｅの配置形状や個数などは、例えば、共通配線Ｗｄｃの配線抵抗と接着面Ｓｂ全体での接着力との兼ね合いにより、任意に設定することが可能である。
【０１０５】
＜３．その他の変形例＞
以上、実施の形態および変形例をいくつか挙げて本開示を説明したが、本開示はこれらの実施の形態等に限定されず、種々の変形が可能である。
【０１０６】
例えば、上記実施の形態等では、プリンタ、インクジェットヘッドおよびヘッドチップにおける各部材の構成例（形状、配置、個数等）を具体的に挙げて説明したが、上記実施の形態等で説明したものには限られず、他の形状や配置、個数等であってもよい。また、上記実施の形態等で説明した各種パラメータの値や範囲、大小関係等についても、上記実施の形態等で説明したものには限られず、他の値や範囲、大小関係等であってもよい。
【０１０７】
具体的には、例えば、上記実施の形態等では、２列タイプの（２列のノズル列Ａｎ１，Ａｎ２を有する）インクジェットヘッド４を挙げて説明したが、この例には限られない。すなわち、例えば、１列タイプ（１列のノズル列を有する）のインクジェットヘッドや、３列以上（例えば３列や４列など）の複数例タイプ（３列以上のノズル列を有する）インクジェットヘッドであってもよい。
【０１０８】
また、例えば、上記実施の形態等では、各吐出チャネル（吐出溝）および各ダミーチャネル（非吐出溝）がそれぞれ、アクチュエータプレート４１２内で斜め方向に沿って延在している場合について説明したが、この例には限られない。すなわち、例えば、各吐出チャネルおよび各ダミーチャネルがそれぞれ、アクチュエータプレート４１２内でＹ軸方向に沿って延在するようにしてもよい。
【０１０９】
更に、例えば、ノズル孔Ｈ１，Ｈ２の断面形状については、上記実施の形態等で説明したような円形状には限られず、例えば、楕円形状や、三角形状等の多角形状、星型形状などであってもよい。
【０１１０】
加えて、上記実施の形態等では、各吐出チャネルＣ１ｅ，Ｃ２ｅの延在方向（上記斜め方向）の中央部からインク９を吐出する、いわゆるサイドシュートタイプのインクジェットヘッドの例について説明したが、この例には限られない。すなわち、各吐出チャネルＣ１ｅ，Ｃ２ｅの延在方向に沿ってインク９を吐出する、いわゆるエッジシュートタイプのインクジェットヘッドにおいて、本開示を適用するようにしてもよい。
【０１１１】
また、上記実施の形態等では、主に、インクタンクとインクジェットヘッドとの間でインク９を循環させて利用する、循環式のインクジェットヘッドを例に挙げて説明したが、この例には限られない。すなわち、インク９を循環させずに利用する、非循環式のインクジェットヘッドにおいて、本開示を適用するようにしてもよい。
【０１１２】
更に、上記実施の形態等で説明した一連の処理は、ハードウェア（回路）で行われるようにしてもよいし、ソフトウェア（プログラム）で行われるようにしてもよい。ソフトウェアで行われるようにした場合、そのソフトウェアは、各機能をコンピュータにより実行させるためのプログラム群で構成される。各プログラムは、例えば、上記コンピュータに予め組み込まれて用いられてもよいし、ネットワークや記録媒体から上記コンピュータにインストールして用いられてもよい。
【０１１３】
加えて、上記実施の形態等では、本開示における「液体噴射記録装置」の一具体例として、プリンタ１（インクジェットプリンタ）を挙げて説明したが、この例には限られず、インクジェットプリンタ以外の他の装置にも、本開示を適用することが可能である。換言すると、本開示の「ヘッドチップ」および「液体噴射ヘッド」（インクジェットヘッド）を、インクジェットプリンタ以外の他の装置に適用するようにしてもよい。具体的には、例えば、ファクシミリやオンデマンド印刷機などの装置に、本開示の「ヘッドチップ」および「液体噴射ヘッド」を適用するようにしてもよい。
【０１１４】
加えて、これまでに説明した各種の例を、任意の組み合わせで適用させるようにしてもよい。
【０１１５】
なお、本明細書中に記載された効果はあくまで例示であって限定されるものではなく、また、他の効果があってもよい。
【０１１６】
また、本開示は、以下のような構成を取ることも可能である。
（１）
液体を噴射するヘッドチップであって、
第１の方向に沿って並設された複数の吐出溝と、前記複数の吐出溝内にそれぞれ形成された第１共通電極とを有するアクチュエータプレートと、
前記複数の吐出溝に個別に連通する複数のノズル孔を有するノズルプレートと、
前記アクチュエータプレートを覆うカバープレートと
を備え、
前記カバープレートは、前記複数の吐出溝をそれぞれ覆う壁部を有しており、
前記第１共通電極に対して電気的に接続されている複数の共通配線が、前記カバープレートの前記壁部における前記アクチュエータプレートとは反対側の表面上に引き回されていると共に、
前記複数の共通配線のうちの少なくとも２以上の前記共通配線同士が、前記壁部の前記反対側の表面において互いに電気的に接続されることにより、前記壁部の前記反対側の表面に、１または複数の第２共通電極が形成されている
ヘッドチップ。
（２）
前記第１の方向に沿って並設された前記少なくとも２以上の前記共通配線同士の電気的接続により、前記第２共通電極が形成されている
上記（１）に記載のヘッドチップ。
（３）
前記第１の方向に沿って並設された全ての前記共通配線同士の電気的接続により、前記第２共通電極が形成されている
上記（２）に記載のヘッドチップ。
（４）
前記カバープレートが、
前記吐出溝との間で前記液体が流れる第１貫通孔を含んでおり、前記第１の方向に沿って延在する第１の溝部と、
前記吐出溝との間で前記液体が流れる第２貫通孔を含んでおり、前記第１の方向に沿って延在する第２の溝部と
を更に有していると共に、
前記壁部が、前記第１および第２の溝部の間の領域に配置されており、
前記第１の溝部内から引き回された前記共通配線と、前記第２の溝部内から引き回された前記共通配線とが、前記壁部の前記反対側の表面において、前記第１の方向と交差する第２の方向に沿って互いに電気的接続されることにより、前記第２共通電極が形成されている
上記（１）ないし（３）のいずれかに記載のヘッドチップ。
（５）
前記壁部における前記反対側の表面の一部が、前記第２共通電極が形成されずに前記カバープレートの表面が露出している露出面となっている
上記（１）ないし（４）のいずれかに記載のヘッドチップ。
（６）
前記露出面が複数設けられていると共に、
複数の前記露出面同士が、前記第１の方向に沿って等間隔に配置されている
上記（５）に記載のヘッドチップ。
（７）
前記壁部の前記反対側の表面において、前記吐出溝の形成領域に対応する全領域に、前記第２共通電極が形成されている
上記（１）ないし（４）のいずれかに記載のヘッドチップ。
（８）
前記ヘッドチップ内と前記ヘッドチップの外部との間を前記液体が循環するように構成されていると共に、
前記カバープレートが、
前記吐出溝内に前記液体を流入させるための第１貫通孔を含んでおり、前記第１の方向に沿って延在する第１の溝部と、
前記吐出溝内から前記液体を流出させるための第２貫通孔を含んでおり、前記第１の方向に沿って延在する第２の溝部と
を更に有しており、
前記壁部が、前記第１および第２の溝部の間の領域に配置されている
上記（１）ないし（７）のいずれかに記載のヘッドチップ。
（９）
上記（１）ないし（８）のいずれかに記載のヘッドチップを備えた
液体噴射ヘッド。
（１０）
上記（９）に記載の液体噴射ヘッドと、
前記液体を収容する収容部と
を備えた液体噴射記録装置。
【符号の説明】
【０１１７】
１…プリンタ、１０…筺体、２ａ，２ｂ…搬送機構、２１…グリッドローラ、２２…ピンチローラ、３（３Ｙ，３Ｍ，３Ｃ，３Ｂ）…インクタンク、４（４Ｙ，４Ｍ，４Ｃ，４Ｂ）…インクジェットヘッド、４０…流路プレート、４１…ヘッドチップ、４１１…ノズルプレート、４１２…アクチュエータプレート、４１３，４１３Ａ〜４１３Ｃ…カバープレート、４２１，４２２…チャネル列、４４１，４４２…フレキシブルプリント基板、５…循環機構、５０…循環流路、５０ａ，５０ｂ…流路（供給チューブ）、５２ａ，５２ｂ…送液ポンプ、６…走査機構、６１ａ，６１ｂ…ガイドレール、６２…キャリッジ、６３…駆動機構、６３１ａ，６３１ｂ…プーリ、６３２…無端ベルト、６３３…駆動モータ、９…インク、Ｐ…記録紙、ｄ…搬送方向、Ｈ１，Ｈ２…ノズル孔、Ａｎ１，Ａｎ２…ノズル列、Ｃ１，Ｃ２…チャネル、Ｃ１ｅ，Ｃ２ｅ…吐出チャネル、Ｃ１ｄ，Ｃ２ｄ…ダミーチャネル、Ｗｄ…駆動壁、Ｅｄ…駆動電極、Ｅｄｃ，Ｅｄｃ１，Ｅｄｃ２…共通電極（コモン電極）、Ｅｄａ…個別電極（アクティブ電極）、Ｗｄｃ…共通配線、Ｒin１，Ｒin２…入口側共通インク室、Ｒout１，Ｒout２…出口側共通インク室、Ｓin１，Ｓin２…供給スリット、Ｓout１，Ｓout２…排出スリット、Ｗ１，Ｗ２…壁部、Ｓｂ，Ｓｂ１，Ｓｂ２…接着面、Ｓｅ…露出面、Ｓ０…溝部。
【図１】
2019089221.tif 000003
【図２】
2019089221.tif 000004
【図３】
2019089221.tif 000005
【図４】
2019089221.tif 000006
【図５】
2019089221.tif 000007
【図６】
2019089221.tif 000008
【図７】
2019089221.tif 000009
【図８】
2019089221.tif 000010
【図９】
2019089221.tif 000011
【図１０】
2019089221.tif 000012